(57)【特許請求の範囲】
【請求項１】
コージェネレーション装置と、前記コージェネレーション装置が生成した熱を湯として溜める貯湯タンクと、前記貯湯タンクに溜まったお湯の量が表示されるように構成されている表示装置と、前記表示装置の表示内容を設定する制御器と、を備えており、前記制御部は、前記コージェネレーション装置が発電を行っている場合に、前記発電で前記貯湯タンクに溜まっていくお湯の量を、波打つアイコンの目盛り表示位置が変化するアニメーションで表示させる、コージェネレーションシステム。
【請求項２】
前記貯湯タンクの上下方向に複数配置され前記貯湯タンク内のお湯の温度を検知する温度検知器を備え、前記制御部は、予め定められている第１温度以上の温度を検知した前記温度検知器が無い場合にはお湯が溜まっていない状態を表示させ、前記第１温度以上の温度を検知している前記温度検知器の数が多くなるほど多くのお湯が溜まった状態を示す目盛り表示を表示させて、前記貯湯タンク内のお湯の量が表示されるように前記表示装置の表示内容を設定する、請求項１記載のコージェネレーションシステム。
【請求項３】
前記制御器は、前記コージェネレーション装置が発電している発電量が大きいほど前記波打の形状の変化の周期を早くさせる、請求項１又は請求項２に記載のコージェネレーションシステム。
【請求項４】
コージェネレーション装置の発電により生成した熱を利用して溜められた貯湯タンク内のお湯の量に基づいて表示内容が変更される表示部、を備えているコージェネレーションシステム用の表示装置であって、前記表示部は、前記コージェネレーション装置が発電を行っている場合に、前記発電で前記貯湯タンクに溜まっていくお湯の量を、波打つアイコンの目盛り表示位置が変化するアニメーションで表示させる、コージェネレーションシステム用の表示装置。
【請求項５】
コージェネレーション装置と、前記コージェネレーション装置が生成した熱を湯として溜める貯湯タンクと、前記貯湯タンクに溜まったお湯の量が表示されるように構成されている表示装置と、を備えたコージェネレーションシステムの制御方法であって、前記コージェネレーション装置が発電を行っている場合に、前記表示装置に前記発電で前記貯湯タ
ンクに溜まっていくお湯の量を、波打つアイコンの目盛り表示位置が変化するアニメーションで表示させる、コージェネレーションシステムの制御方法。
【請求項６】
コージェネレーション装置と、前記コージェネレーション装置が生成した熱を利用して湯を溜める貯湯タンクと、前記貯湯タンク内のお湯の温度を検知する第１温度検知器と、前記第１温度検知器より低い位置に配置され前記貯湯タンク内のお湯の温度を検知する第２温度検知器と、前記第１温度検知器が予め定められている第１温度以上検知した場合に目盛りＮ番目に第１目盛りが表示される表示装置と、前記表示装置の表示内容を設定する制御器と、を備えており、前記制御部は、前記コージェネレーション装置が発電を行っている場合に、前記第２温度検知器が第１温度未満の表示を検知している場合は、前記表示装置のうち前記目盛りＮ番目または目盛りＮ＋１番目に、前記第１目盛りとは異なる形状の第１記号を表示させる、コージェネレーションシステム。
【発明の詳細な説明】
【技術分野】
【０００１】
本発明は、燃料ガスと酸化剤ガスとを用いて発電を行う燃料電池システムに関するものである。
【背景技術】
【０００２】
コージェネレーション装置は、発電機能だけでなく給湯機能も備えており、発電時の排熱を利用してお湯をつくり、貯湯タンクにためることが一般的である。そして、ユーザーはその環境性・経済性の高い貯湯タンクのお湯を利用する。利用にあたっては、残りの湯量を確認しながら利用することが主流である。
【０００３】
このリモコン装置で貯湯タンクの湯量が少なくなるとリモコン表示にてお湯の状態について注意を促す方法があった（例えば、特許文献１参照）。電気代の安い深夜電力を利用して、夜間にお湯を貯湯タンクに沢山ためて、そのお湯を使ってゆくようなヒートポンプ給湯器では利便性が高い。
【先行技術文献】
【特許文献】
【０００４】
【特許文献１】特開２００６−１９４５０７号公報
【発明の概要】
【発明が解決しようとする課題】
【０００５】
しかしながらが、従来の方法ではお湯が減ったことを効果的に表現することができるが、コージェネレーション装置のように日中の生活に合わせて発電し、その排熱を利用して徐々にお湯が貯湯タンクにためてゆく場合には効果的でない。例えばＰｏｌｙｍｅｒ  Ｅｌｅｃｔｒｏｌｙｔｅ  Ｆｕｅｌ  Ｃｅｌｌのコージェネレーション装置では０．２５ｋｗ程度の発電だと１０時間で水温１５度から４５度のお湯を５０Ｌしか溜めることができないため、ユーザーには貯湯タンクの残りが減った以前に、発電しても本当にお湯溜まっているのか分からない、しいては本当に発電しているのかという不満足感を与えてしまったり、または、排熱利用から生成したお湯を使えるにも関わらずそれが溜まってゆくことが見えないので、お湯が溜まったと分かるまでは、お湯の利用を控えさせ不便にしてしまうという課題を有していた。
【０００６】
本発明は、貯湯タンクにお湯がたまってゆく様子を分かりやすく表示するリモコン装置を提供することを目的とする。
【課題を解決するための手段】
【０００７】
前記従来の課題を解決するためにはコージェネレーション装置と、前記コージェネレーション装置が生成した熱を湯として溜める貯湯タンクと、前記貯湯タンクに溜まったお湯の量が表示されるように構成されている表示装置と、前記表示装置の表示内容を設定する制御器と、を備えており、前記制御部は、前記コージェネレーションシステムが発電を行っている場合に、前記発電で前記貯湯タンクに溜まっていくお湯の量を、波打つアイコンの目盛り表示位置が変化するアニメーションで表示させる、コージェネレーションシステムである。
【発明の効果】
【０００８】
本発明のリモコン装置によれば、発電とともに貯湯タンクたまってゆくお湯の様子を分
かりやすくリモコン画面で表示でき、ユーザーはお湯がたまっていくことが実感できるようになる。そしてお湯がたまってゆくことを見えることで、お湯が溜まったことが分かるまでは、お湯の利用を控えさせてしまうような不便を解消させることができるようになる。
【図面の簡単な説明】
【０００９】
【図１】本発明の実施の形態１におけるコージェネレーション装置の構成図
【図２】本発明の実施の形態１におけるリモコン装置の構成図
【図３】本発明の実施の形態１におけるリモコン装置の画面のタンク表示を示す図
【図４】本発明の実施の形態１におけるリモコン装置の画面のタンク表示を示す図
【図５】本発明の実施の形態１におけるリモコン装置の画面のタンク表示を示す図
【図６】本発明の実施の形態１におけるリモコン装置の画面のタンク表示を示す図
【発明を実施するための形態】
【００１０】
第１の発明は、コージェネレーション装置と、前記コージェネレーション装置が生成した熱を湯として溜める貯湯タンクと、前記貯湯タンクに溜まったお湯の量が表示されるように構成されている表示装置と、前記表示装置の表示内容を設定する制御器と、を備えており、前記制御部は、前記コージェネレーションシステムが発電を行っている場合に、前記発電で前記貯湯タンクに溜まっていくお湯の量を、波打つアイコンの目盛り表示位置が変化するアニメーションで表示させる、コージェネレーションシステムである。したがって、発電中に貯湯タンクの目盛り表示がアニメーションされることで、貯湯タンクにお湯が溜まっていく様子をユーザーに示すことができる。
第２の発明は、前記第１の発明のコージェネレーションシステムにおいて、前記貯湯タンクの上下方向に複数配置され前記貯湯タンク内のお湯の温度を検知する温度検知器を備え、前記制御部は、予め定められている第１温度以上の温度を検知した前記温度検知器が無い場合にはお湯が溜まっていない状態を表示させ、前記第１温度以上の温度を検知して
いる前記温度検知器の数が多くなるほど多くのお湯が溜まった状態を示す目盛り表示を表示させて、前記貯湯タンク内のお湯の量が表示されるように前記表示装置の表示内容を設定する。
【００１６】
第３の発明は、第１の発明又は第２の発明に記載のコージェネレーションシステムにおいて、前記制御器は、前記コージェネレーション装置が発電している発電量が大きいほど、前記波打の形状の変化の周期を早くさせる。
【００１８】
第４の発明は、コージェネレーション装置の発電により生成した熱を利用して溜められた貯湯タンク内のお湯の量に基づいて表示内容が変更される表示部、を備えているコージェネレーションシステム用の表示装置であって、前記表示部は、前記コージェネレーション装置が発電を行っている場合に、前記発電で前記貯湯タンクに溜まっていくお湯の量を、波打つアイコンの目盛り表示が変化するアニメーションで表示させる、コージェネレーションシステム用の表示装置である。したがって、発電中に貯湯タンクの目盛り表示が変化することで、貯湯タンクにお湯が溜まっていく様子をユーザーに示すことができる。
第５の発明は、コージェネレーション装置と、前記コージェネレーション装置が生成した
熱を湯として溜める貯湯タンクと、前記貯湯タンクに溜まったお湯の量が表示されるように構成されている表示装置と、を備えたコージェネレーションシステムの制御方法であって、前記コージェネレーション装置が発電を行っている場合に、前記表示装置に前記発電で前記貯湯タンクに溜まっていくお湯の量を、波打つアイコンの目盛り表示位置が変化するアニメーションで表示させる、コージェネレーションシステムの運転方法である。したがって、発電中に貯湯タンクの目盛り表示が変化することで、貯湯タンクにお湯が溜まっていく様子をユーザーに示すことができる。
【００１９】
以下、本発明の実施の形態について、図面を参照しながら説明する。なお、この実施の形態によって本発明が限定されるものではない。
【００２０】
（実施の形態１）
図１は本発明の実施の形態１におけるコージェネレーション装置の構成図である。図１において、コージェネレーション装置１１（燃料電池システム）は燃料、例えばガスから水素（燃料ガス）を取り出し酸素（酸化剤ガス）とを反応させ燃料電池ユニット１２で発電する、その際に発生する排熱を利用して生成したお湯を貯湯ユニット１３の貯湯タンク（貯湯槽）１５にお湯をため、タンクのお湯が利用できない場合には、ガスを利用した給湯器１４を利用しお湯を生成するシステムである。そしてコージェネレーション装置１１にて、発電方法や所望の給湯温度に設定したり、表示内容の設定を行う制御器としてリモコン装置２０（表示装置）を利用する。また、リモコン装置２０は、リモコン装置２０の表示部の表示内容を設定する制御器の機能も有している。また、貯湯タンク１５のお湯の状況を確認できるように、リモコン装置２０より貯湯タンク１５のお湯の量を確認できる。貯湯タンク１５にはお湯の温度を検知するサーミスタをサーミスタＡ１６、サーミスタＮ１７、サーミスタＭ１８、サーミスタＺ１９と複数設け、サーミスタが第１温度検知器として所望のお湯の温度である第１温度以上になると貯湯タンク１５にお湯がたまったと
検知して、貯湯タンク表示２３にお湯の量を目盛り表示する表示装置としてリモコン装置２０を利用できる。例えば、サーミスタＮ１７を第１温度検知器として用い、サーミスタＮ１７が第１温度以上になると貯湯タンク１５の目盛りＮ番目に第１目盛りを表示し、次にサーミスタＮ１７より低い位置にあるサーミスタＭ１８が第１温度以上になると、さらに次の目盛りＮ＋１番目に第１目盛りを表示する。また、コージェネレーション装置１１が発電を行っていて、サーミスタＭ１８が第１温度未満の場合には、Ｎ＋１番目の目盛りには第１目盛りと異なる、例えば波打つアイコンでお湯が溜まっていることを示す第１記号を表示する。
【００２１】
図２は本発明の実施の形態１におけるリモコン装置の構成図である。リモコン装置２０は、表示部２２と操作スイッチ部２４から構成される。表示部２２には発電状態だけでなく、貯湯タンク表示２３が貯湯タンク１５のお湯の量を表示する部分である。この目盛りでお湯の量が確認でき、目盛りが多いとお湯が多く、目盛りが少ないとお湯が少ないことを示す。なお、貯湯タンク表示２３の目盛り表示は、発電している状態には図３に示す第２タンク目盛り３０２のように目盛り２番目がゼロの目盛りとして表示され、発電していない停止状態には図３に示す第８タンク目盛り３０８のように目盛り２番目がそれ以外の場合のゼロ目盛りとして表示される。
【００２２】
図３は本発明の実施の形態１におけるリモコン装置２０の貯湯タンク表示２３の遷移図である。サーミスタＮ１７が第１温度以上になると貯湯タンク１５の目盛りＮ番目に第１目盛りを表示し、次にサーミスタＮ１７より低い位置にあるサーミスタＭ１８が第１温度未満の場合には、コージェネレーション装置１１が発電中でも、目盛りＮ番目に第１記号を表示する。例えば、発電している場合には、第１タンク目盛り３０１（発電時の目盛りゼロを示す表示）のようにまだ目盛り１番目の箇所までお湯がない場合はお湯が溜まっている様子を示さない。次に、第８タンク目盛り３０８（発電時以外の場合に目盛り１番目までしかお湯がたまっていない状態を示す表示）のようにお湯が溜まった場合には、目盛り１番目に第１目盛りを表示する。また、第２タンク目盛り３０２（発電時に目盛り１番目までしかお湯が溜まっていない状態を示す表示）のようにお湯が溜まった場合には、目盛り１番目に第１記号を表示する。同様に続けて第６タンク目盛り３０６（発電時に目盛り５番目までお湯が溜まっている状態を示す表示）まで目盛りをアニメーションする。これによりコージェネレーション装置１１が発電して、貯湯タンク１５にお湯が溜まっていく様子が一目でユーザーに分かるようになる。そして貯湯タンク１５の全目盛りにおいて、お湯が溜まってゆく様子をユーザーに示すことができる。
【００２３】
（実施の形態２）
図４は本発明の実施の形態２におけるリモコン装置２０の貯湯タンク表示２３の遷移図
である。サーミスタＮ１７が第１温度以上になると貯湯タンク１５の目盛りＮ番目に第１目盛りを表示し、次にサーミスタＮ１７より低い位置にあるサーミスタＭ１８（第２温度検知器）が第１温度未満の場合には、コージェネレーション装置１１が発電中だと、目盛りＮ＋１番目に第１記号を表示する。例えば、発電している場合には、第１３タンク目盛り（発電時に目盛りゼロを示す表示）４０１のようにまだ目盛り１番目の箇所までお湯がない場合でも、発電しお湯が溜めようとしているためその様子を目盛り１番目に第１記号を表示して示す。次に、第２０タンク目盛り４０８（発電時以外の場合に目盛り１番目までしかお湯がたまっていない状態を示す表示）のようにお湯が溜まった場合には、目盛り１番目に第１目盛りを表示する。また、第１４タンク目盛り４０２（発電時に目盛り１番目までしかお湯が溜まっていない状態を示す表示）のようにすでに溜まった次の目盛りを発電しためようとしているその様子を目盛り２番目に第１記号を表示する。同様に続けて第１８タンク目盛り４０５（発電時に目盛り５番目までお湯が溜まっている状態を示す表示）まで目盛りをアニメーションする。これによりコージェネレーション装置１１が発電して、貯湯タンク１５にお湯が溜まっていく様子がすぐに分かるようになる。そして、この場合には貯湯タンク１５で次に貯めようとしている目盛りがアニメーションすることで、貯湯タンク１５に残量がなく目盛りゼロが非表示の場合にも、発電し始めるとすぐにお湯が溜まってゆく様子をユーザーに示すことができる。
【００２４】
（実施の形態３）
図５は本発明の実施の形態３におけるリモコン装置２０の貯湯タンク表示２３の遷移図である。サーミスタＡ１６（第３温度検知器）、すなわち貯湯タンク１５内の最も高い位置のサーミスタである第３温度検知器の検知した温度に関わらず、貯湯タンク１５の目盛り１番目に必ず第１記号を表示する。例えば、発電している場合には、第２５タンク目盛り５０１（発電時に目盛りゼロを示す表示）のようにまだ目盛り１番目の箇所までお湯がない場合でも、発電しお湯が溜めようとしているためその様子を目盛り１番目に第１記号を表示して示す。次に、第３２タンク目盛り５０８（発電時以外の場合に目盛り１番目までしかお湯がたまっていない状態を示す表示）のようにお湯が溜まった場合には、目盛り１番目に第１目盛りを表示する。また、第２６タンク目盛り５０２（発電時に目盛り１番目までしかお湯が溜まっていない状態を示す表示）のようにお湯が溜まった場合には、目盛り１番目に第１記号を表示する。同様に続けて第３０タンク目盛り５０６（発電時の場合に目盛り５番目までお湯が溜まっている状態を示す表示）まで目盛りをアニメーションする。これによりコージェネレーション装置１１が発電して、貯湯タンク１５にお湯が溜まっていく様子がすぐに分かるようになる。そして、この場合には図３と図４の合わせたケースで、発電当初は貯湯タンク１５に残量がなく目盛りゼロが非表示の場合にも、発電し始めるとすぐにお湯が溜まってゆく様子をユーザーに示すことができる。そして目盛り１番目からはお湯が溜まった目盛りをアニメーションするので、図３のように貯湯タンク１５の全目盛りでお湯が溜まってゆく様子をユーザーに示すことができる。
【００２５】
（変形例）
図６は本発明の実施の形態１から３におけるリモコン装置２０の貯湯タンク表示２３の
目盛り表示についてである。図３、４、５のように、お湯が溜まっている様子を例えばタンクアニメＡ６１〜タンクアニメＤ６４のように波打つように表現することで、お湯が溜まってゆくイメージを具体的に表現できる。そして、コージェネレーション装置１１の発電量によって、アニメーションの周期を変化させ、例えば発電量は少ないとアニメーションは遅く、発電量が大きいとアニメーションは早くすることで、さらに貯湯タンク１５にお湯が溜まってゆく様子を詳細に表現できる。
【００２６】
また、サーミスタＡ１６が検知したお湯の温度が高いとタンクアニメＡ６１の目盛り５のように濃い赤色で表現し、サーミスタＡ１６が検知したお湯の温度が低いとタンクアニメＡ６１の目盛り５のように薄い赤色で表現するようにすれば、貯湯タンク１５の状態を詳しく表現できる。
【００２７】
なお、貯湯タンク１５の表示装置としてリモコン装置２０の貯湯タンク表示２３の表示方法について説明したが、貯湯タンク１５に予め定められた湯量である第１湯量が貯められた場合にも、貯湯タンク表示２３について同様に表示するコージェネレーション装置１１の表示装置についても同様である。
【産業上の利用可能性】
【００２８】
以上のように、本発明にかかるリモコン装置は、コージェネレーションシステムでは、発電時の排熱を利用して省エネ性の高いお湯をつくり、貯湯タンクにお湯が溜まっていく様子をユーザーに分かりやすく表現することができる。
【００２９】
そして、ユーザーには分かりやすく、使いやすい表示が提供できる。これによって、燃料電池だけでなく、ガスエンジンを利用するコージェネレーション装置や、給湯器にも広く応用できる。
【符号の説明】
【００３０】
１１  コージェネレーション装置（燃料電池システム）
１２  燃料電池ユニット
１３  貯湯ユニット
１４  給湯器
１５  貯湯タンク（貯湯槽）
１６  サーミスタＡ（第３温度検知器）
１７  サーミスタＮ（第１温度検知器）
１８  サーミスタＭ（第２温度検知器）
１９  サーミスタＺ
２０  リモコン装置
２２  表示部
２３  貯湯タンク表示
２４  操作スイッチ部
６１  タンクアニメーション
３０１  第１タンク目盛り
３０２  第２タンク目盛り
３０３  第３タンク目盛り
３０４  第４タンク目盛り
３０５  第５タンク目盛り
３０６  第６タンク目盛り
３０７  第７タンク目盛り
３０８  第８タンク目盛り
３０９  第９タンク目盛り
３１０  第１０タンク目盛り
３１１  第１１タンク目盛り
３１２  第１２タンク目盛り
４０１  第１３タンク目盛り
４０２  第１４タンク目盛り
４０３  第１５タンク目盛り
４０４  第１６タンク目盛り
４０５  第１７タンク目盛り
４０６  第１８タンク目盛り
４０７  第１９タンク目盛り
４０８  第２０タンク目盛り
４０９  第２１タンク目盛り
４１０  第２２タンク目盛り
４１１  第２３タンク目盛り
４１２  第２４タンク目盛り
５０１  第２５タンク目盛り
５０２  第２６タンク目盛り
５０３  第２７タンク目盛り
５０４  第２８タンク目盛り
５０５  第２９タンク目盛り
５０６  第３０タンク目盛り
５０７  第３１タンク目盛り
５０８  第３２タンク目盛り
５０９  第３３タンク目盛り
５１０  第３４タンク目盛り
５１１  第３５タンク目盛り
５１２  第３６タンク目盛り
【図１】
0005957689.tif 000002
【図２】
0005957689.tif 000003
【図３】
0005957689.tif 000004
【図４】
0005957689.tif 000005
【図５】
0005957689.tif 000006
【図６】
0005957689.tif 000007